(57)【要約】【課題】  生産性や信頼性に優れた車両用回転電機およびその製造方法を提供する。【解決手段】  車両用交流回転電機の固定子鉄心１は、単層２段巻きの巻線２を装備し、巻線３を構成する各コイル２ａ，２ｂは、コイル単独状態で成形され、一部分の樹脂含浸を行い、次に固定子鉄心１の各スロット１ｓに組み込まれる。このため固定子鉄心１のスロット１ｓに装着した状態でのコイル曲げ加工が不要となり、また単層巻きによるコイル当たりの巻き回数を増やす事で導体接続点数が削減でき、信頼性の向上と製造工程における利点を得ることができる。【選択図】図１Ｂ
2010136537.tif 000002
【特許請求の範囲】
【請求項１】
回転子と、前記回転子と対向配置された固定子とを有し、半導体電力変換装置によってトルクが制御されるとともに、車両に搭載され前記車両の駆動力発生またはエネルギー回生を行う回転電機であって、
前記固定子は、毎極毎相のスロット数が整数となる複数のスロットが形成された固定子鉄心と、各々の前記スロットに挿入された単層巻きのコイルが同極同相で複数同心的に配置された巻線と、を有し、
前記巻線の前記コイルは、複数の絶縁された矩形断面の導体素線で構成され、前記導体素線の断面の短辺を前記スロットの深さ方向に１列に積み重ねて配列されているとともに、前記スロットの間の亘り部を含むコイルエンド部の形状が、前記スロットから延出した後、前記固定子の外径側に向かって略直角に曲がり、その後周方向に曲がって前記固定子鉄心の軸方向端部の外径または内径に沿って円弧をなすように延伸している第一のコイル群と、前記スロットから略直線状に延出した後、周方向に略直角に曲がり、その後前記固定子鉄心の軸方向端部の外径または内径に沿って円弧をなすように延伸している第二のコイル群とを有し、前記第一のコイル群または前記第二のコイル群の少なくともいずれか一方は前記スロット挿入後の形状に予め成形されている回転電機。
【請求項２】
請求項１記載の回転電機であって、
前記巻線は、同極同相の互いに同心的に巻回されているコイルのコイルエンド部に樹脂が含浸している回転電機。
【請求項３】
請求項１記載の回転電機であって、
前記コイルエンド部または前記スロットの間の亘り部で異相の前記コイルと接近する部位に補強絶縁部を有する回転電機。
【請求項４】
請求項１記載の回転電機であって、
前記固定子の前記スロットは、前記回転子に向かって開口部を有するオープンスロットである回転電機。
【請求項５】
請求項４記載の回転電機であって、
前記固定子は、前記スロットの開口部に楔を有するとともに、前記楔に磁性材料が用いられている回転電機。
【請求項６】
請求項１記載の回転電機であって、
前記第二のコイル群は、前記スロットから略直線状に前記第一のコイル群の軸方向高さ以上まで延出した後、周方向に略直角に曲がり、その後前記固定子鉄心の軸方向端部の外径または内径に沿って円弧をなすように延伸している回転電機。
【請求項７】
回転子と、前記回転子と対向配置された固定子とを有し、半導体電力変換装置によってトルクが制御されるとともに、車両に搭載され前記車両の駆動力発生またはエネルギー回生を行う回転電機であって、前記固定子は、毎極毎相のスロット数が整数となる複数のオープンスロットが形成された固定子鉄心と、各々の前記スロットに挿入された単層巻きのコイルが同極同相で複数同心的に配置された巻線と、を有する回転電機の製造方法であって、
前記巻線の前記コイルを複数の絶縁された矩形断面の導体素線で構成し、前記導体素線の断面の短辺を前記スロットの深さ方向に１列に積み重ねて配列し、
前記スロットの間の亘り部を含むコイルエンド部の形状を、前記スロットから延出した後、前記固定子の外径側に向かって略直角に曲がり、その後周方向に曲がって前記固定子鉄心の軸方向端部の外径または内径に沿って円弧をなすように第一のコイル群を成形し、
前記スロットの間の亘り部を含むコイルエンド部の形状を、前記スロットから略直線状に延出した後、周方向に略直角に曲がり、その後前記固定子鉄心の軸方向端部の外径または内径に沿って円弧をなすように第二のコイル群を成形し、
その後、前記第一のコイル群および前記第二のコイル群を前記スロットに挿入する回転電機の製造方法。
【請求項８】
請求項７記載の回転電機の製造方法であって、
絶縁された前記導体素線を概略板状に巻回し、その後プレス型曲げ加工で前記スロットに挿入される直線部と前記スロット間の亘り部を成形し、前記スロットに挿入される直線部分の前記導体素線を樹脂で固着して前記第一のコイル群を構成した後、前記スロットに挿入する回転電機の製造方法。
【請求項９】
請求項７記載の回転電機の製造方法であって、
絶縁された前記導体素線を概略板状に巻回し、その後プレス型曲げ加工で前記スロットに挿入される直線部と前記スロット間の亘り部を成形した後、スロット絶縁を構成する絶縁物を貼り付けて前記第二のコイル群を構成した後、前記スロットに挿入する回転電機の製造方法。
【請求項１０】
請求項７記載の回転電機の製造方法であって、
同極同相の互いに同心的に巻回されている前記コイルのコイルエンド部を密着させて樹脂を含浸する回転電機の製造方法。
【請求項１１】
請求項７記載の回転電機の製造方法であって、
前記スロットに前記巻線を挿入する前に、前記コイルエンド部または前記スロットの間の亘り部で異相の前記コイルと接近する部位に、補強絶縁を施す回転電機の製造方法。
【請求項１２】
請求項７記載の回転電機の製造方法であって、
前記固定子の前記スロットは前記回転子に向かって開口部を有するオープンスロットであり、前記巻線を前記スロットに挿入後、前記スロットの開口部に磁性材料の楔を挿入する回転電機の製造方法。
【請求項１３】
請求項１記載の回転電機の製造方法であって、
前記スロットの間の亘り部を含むコイルエンド部の形状を、前記スロットから前記第一のコイル群の軸方向高さ以上まで略直線状に延出した後、周方向に略直角に曲がり、その後前記固定子鉄心の軸方向端部の外径または内径に沿って円弧をなすように第二のコイル群を成形する回転電機の製造方法。
【発明の詳細な説明】
【技術分野】
【０００１】
本発明は、回転電機に関する。
【背景技術】
【０００２】
車両、特に自動車の電気駆動化またはエネルギー回生に供される回転電機は、小形高出力化が求められ続けている。回転電機の小形化、特に固定子の巻線の軸方向寸法短縮やスロット内導体占積率向上による高出力化、また絶縁や導体接続部の高信頼度化が必須となっている。
【０００３】
大型交流発電機などでは単層２段巻き巻線方式が知られている（例えば非特許文献１または非特許文献２参照）。
【０００４】
また車両用発電機の固定子に用いられる巻線では、矩形導体セグメントや矩形ヘアピンコイルによる波巻き方式が提案されている（例えば特許文献１参照）。
【０００５】
【特許文献１】特許第３８１５１０４号公報
【非特許文献１】広瀬敬一監修、リヒター原著  電気機械原論、昭和４７年６月１０日、再版発行、（株）コロナ社、ｐ.１０７−１１３
【非特許文献２】竹内寿太郎、磯部直吉  共著、電気機器設計原論、昭和４７年１２月１０日  第１版第２刷発行、（株）オーム社、ｐ.１５２−１５６
【発明の開示】
【発明が解決しようとする課題】
【０００６】
大型交流発電機で知られている技術は、対象が定置式回転電機であり、軸方向寸法制約が厳しくなく、使用電圧が高電圧でも絶縁厚みやコイル間の絶縁空隙を大きく取ることができた。これを、エンジンルームその他の寸法制約が大きい車両に適用することは難しいという問題があった。
【０００７】
また、従来の車両用発電機の技術では、コイル辺となる複数の導体を直列に接続して連続した巻線を作る必要があり、導体接続点数の増加が避けられず、信頼性確保の点で必ずしも十分ではなかった。また固定子鉄心のスロットにコイル辺となる導体を挿入した状態でスロット出口部の曲げ加工を行う工程が不可欠であり、コイルの絶縁信頼性確保に多くの労力を要し、また製造装置も複雑で高価であった。
【０００８】
本発明は、生産性や信頼性に優れた車両用回転電機およびその製造方法を提供することを目的とする。
【課題を解決するための手段】
【０００９】
本発明は、回転子と、回転子と対向配置された固定子とを有し、半導体電力変換装置によってトルクが制御されるとともに、車両に搭載され車両の駆動力発生またはエネルギー回生を行う回転電機であって、固定子は、毎極毎相のスロット数が整数となる複数のスロットが形成された固定子鉄心と、各々のスロットに挿入された単層巻きのコイルが同極同相で複数同心的に配置された巻線と、を有し、巻線のコイルは、複数の絶縁された矩形断面の導体素線で構成され、導体素線の断面の短辺をスロットの深さ方向に１列に積み重ねて配列されているとともに、スロットの間の亘り部を含むコイルエンド部の形状が、スロットから延出した後、前記固定子の外径側に向かって略直角に曲がり、その後周方向に曲がって固定子鉄心の軸方向端部の外径または内径に沿って円弧をなすように延伸している第一のコイル群と、スロットから略直線状に延出した後、周方向に略直角に曲がり、その後固定子鉄心の軸方向端部の外径または内径に沿って円弧をなすように延伸している第二のコイル群とを有し、第一のコイル群または第二のコイル群の少なくともいずれか一方はスロットに挿入後の形状に予め成形されている回転電機である。
【００１０】
また本発明は、回転子と、回転子と対向配置された固定子とを有し、半導体電力変換装置によってトルクが制御されるとともに、車両に搭載され車両の駆動力発生またはエネルギー回生を行う回転電機であって、固定子は、毎極毎相のスロット数が整数となる複数のオープンスロットが形成された固定子鉄心と、各々のスロットに挿入された単層巻きのコイルが同極同相で複数同心的に配置された巻線と、を有する回転電機の製造方法であって、巻線のコイルを複数の絶縁された矩形断面の導体素線で構成し、導体素線の断面の短辺をスロットの深さ方向に１列に積み重ねて配列し、スロットの間の亘り部を含むコイルエンド部の形状を、スロットから延出した後、前記固定子の外径側に向かって略直角に曲がり、その後周方向に曲がって固定子鉄心の軸方向端部の外径または内径に沿って円弧をなすように第一のコイル群を成形し、スロットの間の亘り部を含むコイルエンド部の形状を、スロットから略直線状に延出した後、周方向に略直角に曲がり、その後固定子鉄心の軸方向端部の外径または内径に沿って円弧をなすように第二のコイル群を成形し、その後、第一のコイル群および第二のコイル群をスロットに挿入する回転電機の製造方法である。
【発明の効果】
【００１１】
本発明によれば、生産性や信頼性に優れた車両用回転電機およびその製造方法を提供することができる。
【発明を実施するための最良の形態】
【００１２】
以下、本発明の一実施形態として、車両の牽引力を制御する電動発電機の固定子の巻線構造を説明する。
【００１３】
本発明の一実施形態をなす回転電機は、自動車に搭載され、半導体電力変換装置を介してトルクを制御される多相交流回転電機である。回転子と空隙を介して対向配置された固定子鉄心には毎極毎相のスロット数が整数となる複数のオープンスロットが形成されており、各スロットには単層巻きされたコイルが挿入され、同極同相の複数のコイルは同心的に配置されて鎖巻き方式の巻線を成す。各コイルは複数の絶縁された矩形断面の導体素線から構成され、導体素線寸法の短辺をスロット深さ方向に１列に積み重ね配列される。
【００１４】
また単層巻きされたコイルのスロット間亘り部を含むコイルエンド部の概略形状は、コイル間の空間的干渉を避けるためのその概略形状として２種類に区分される。一つはコイルエンド部と亘り部が電機子孔から外径側に向かって略直角に曲げられ固定子鉄心のヨーク部側面に並行してスロット間を円弧状に接続する形状を有するコイル群である。もう一つは、固定子鉄心のスロット底に概ね対応する外径寸法でスロット間を円弧状に接続する形状を有するコイル群から構成される。
【００１５】
これら複数のコイルは固定子鉄心のスロットに装着された場合の概略寸法形状に予め成形され、電機子孔側から固定子鉄心の所定スロットに組み込む。
【００１６】
これにより、コイルをスロットに挿入した状態でコイルエンド部の固定子周方向への導体素線曲げ加工を行うことを回避できる。巻線のコイルエンド部の軸方向寸法を短縮できて、コイルをスロットに挿入した状態でのコイルエンド部の導体素線曲げ加工を必要とせず、コイルの組み込み作業性に優れた、小形，高出力，高信頼性の車両用交流回転電機を提供することができる。
【００１７】
好ましくは、単層巻きされたコイルを固定子鉄心に組み込む前に予め所定の形状に成形し、電機子孔側からスロットに組み込みに際して、コイルのスロット間亘り部を撓ませてコイル両辺をスロットに収納し、組み込み後のコイルエンド部の曲げ加工を不要とすることである。
【００１８】
また好ましくは、スロット間亘り部が電機子孔から外径側に向かって曲げられ固定子鉄心のヨーク部側面に並行してスロット間を円弧状に接続するコイル群の成形に関して、コイルを概略平板状に展開した場合のコイル形状を出せる巻き型に絶縁された矩形導体素線を巻き付けて成形し、次にコイルの両辺としてスロットに挿入される両側直線部を除いた部分の曲げ加工を行いスロット部とコイルエンド部とスロット間亘り部を立体的に成形し、さらに導体素線でスロットに挿入される直線部のみを樹脂で固着し、あるいはスロット絶縁用絶縁物を貼り付けた後に、固定子鉄心に組み込む。
【００１９】
また好ましくは、同極同相に属し、同心状に配置された複数のコイルのスロット間亘り部で異なるスロットに配置されたコイル間を密着させて樹脂を含浸し、機械的剛性を高め防振構造とする。
【００２０】
また好ましくは、コイルエンド部やスロット間亘り部で異相コイルが空間的に交差近接する部位で、近接するコイル間電圧がコイルの絶縁耐力を超える場所を事前に特定し、コイル単独状態でこの特定部位のみに補強絶縁材を付加したコイルを固定子鉄心に組み込む。
【００２１】
また好ましくは、オープンスロットの開口部に取付けられてコイル保持に供される楔に、渦電流の流れにくい軟磁性体を適用することにより、固定子鉄心の歯に集中する磁束をスロット空間部にまで拡散させる。
【００２２】
これらにより、スロット内導体の渦電流損失を低減すると共にスロット部導体素線から固定子鉄心への熱伝達を良好にして冷却性能に優れた回転電機を提供することができる。
【００２３】
また、スロット間亘り部の剛性を高め、巻線の耐振性を高めることができる。
【００２４】
また、インバータ運転に伴い発生するサージ電圧に対してコイルエンド部とスロット間亘り部における異相間の絶縁を容易に実現できる小形，高信頼性の回転電機を提供することができる。
【００２５】
さらに、固定子鉄心のオープンスロットによる空隙磁束密度脈動を緩和し、電磁振動による騒音や回転子表面の局部的損失発生を抑制することができる。
【００２６】
以下、図面を用いて本発明の実施形態を説明する。
【００２７】
図１は、本発明の一実施形態をなす回転電機の主要部分の概念図を示す。図１Ａは軸方区断面図を、図１Ｂは軸方向から見た固定子鉄心とコイルエンド部形状を示す。
【００２８】
この回転電機は固定子鉄心１，固定子鉄心１のスロット１ｓに組み込まれた巻線２，固定子鉄心１によって円環状に囲まれた電機子孔３の中心に位置しトルクを発生する回転子４から構成される。
【００２９】
巻線２はコイルピッチは異なるものの、コイルエンド部とスロット１ｓ間亘り部の形状で区分けできるコイル（イ）２ａとコイル（ロ）２ｂの２種類のコイル群で構成され、それらのコイルエンドのスロット１ｓ間亘り部は図１Ｂに示すように、２重の円弧状に配列されて互いのコイルエンドが空間的に干渉を起こさないようになっている。
【００３０】
図２は、図１のスロット部の断面図を示す。
【００３１】
コイルは絶縁された矩形の導体素線１０をスロット１ｓの深さ方向に矩形導体の短辺方向を積み重ねて構成される２段の単層巻きであり、導体素線１０の間は樹脂含浸され、導体素線１０と固定子鉄心１の間にはスロット絶縁紙１１が配置される。またコイルはオープンスロットの開口部に設けられた楔１２でスロット内に保持されている。好ましくは楔１２に磁性材料が用いられていることである。
【００３２】
図３は、コイルエンド部の導体形状の説明図を示す。コイル（イ）２ａは、コイルエンド部と亘り部が電機子孔３から固定子鉄心１の外径側に向かって略直角に曲げられ、固定子鉄心１のヨーク部側面１ｙに並行してスロット１ｓ間を円弧状に接続する形状を有する。すなわちコイル（イ）は、スロット１ｓから延出した後、固定子の外径側に向かって略直角に曲がり、その後周方向に曲がって固定子鉄心１の軸方向端部の外径または内径に沿って円弧をなすように延伸している。
【００３３】
コイル（ロ）２ｂは、固定子鉄心１のスロット１ｓの底に概ね対応する外径寸法でスロット１ｓ間を円弧状に接続する形状を有する。スロットから略直線状にコイル（イ）の軸方向高さ以上まで延出した後、周方向に略直角に曲がり、その後固定子鉄心１の軸方向端部の外径または内径に沿って円弧をなすように延伸している。
【００３４】
同極同相で異なるスロット１ｓに互いに同心的に配置されたコイル群のスロット１ｓの間の亘り部１４はコイル間を接してまたは密着して樹脂含浸される。
【００３５】
また異相コイルが空間的に交差近接する部位には補強絶縁１５を付加している。
【００３６】
巻線を構成する為の複数のコイル極間接続線１３はコイル（イ）とコイル（ロ）で挟まれた空間に配置することができるので、軸方向と半径方向にコイル極間接続に要する付加的専用スペースを必要としない。
【００３７】
図４は、３相，８極，４８スロット，１直列星型結線における巻線を構成する各コイル間の接続図を示す。
【００３８】
毎極毎相スロット数は２.０（整数）となるので、１極１相のコイル群は形状がコイル（イ）形で内側と外側に同心的に配置される２個のコイル２ａまたは形状がコイル（ロ）形で内側と外側に同心的に配置される２個のコイル２ｂから構成される。
【００３９】
Ｕ相を例にすると、スロット番号１−８と２−７のコイルは直列結線され、次極を作るスロット番号１３−２０と１４−１９の直列結線されたコイルに接続される。続いてスロット番号２５−３２と２６−３１の直列結線されたコイルに接続され、最後にスロット番号３７−４４と３８−４３の直列結線されたコイルに接続されてスロット番号４３のコイル終端は中性点に接続される。
【００４０】
Ｖ相，Ｗ相のコイルはＵ相コイルから電気角度で１２０度，２４０度の位相差を持ってＵ相コイルと同様に配置され、これら３相で巻線を構成する。
【００４１】
各相のコイルはコイル（イ）とコイル（ロ）が相互に同数ずつ接続されるので各相のインピーダンスは平衡したものとなる。
【００４２】
次に図５，図６により巻線を構成するコイルの製造工程を説明する。
【００４３】
図５は形状がコイル（イ）の製造工程の説明図である。図５（Ａ），（Ｂ）に示すようにコイルを概略平板状に展開した場合のコイル形状を作り出せる巻型２０に絶縁された矩形導体素線２１を必要回数巻き付けて図５（Ｃ）に示すコイルを製作する。次に図５（Ｄ）に示すようにコイルエンド部の曲げ加工を行いスロットに挿入される直線部２２とスロット間亘り部２３を立体的に成形する。
【００４４】
次スロットに挿入される直線部２２のみを樹脂で固着し、あるいはスロット絶縁用絶縁物２４を貼り付けて単独のコイルとする。
【００４５】
図６はコイル（ロ）の製造工程の説明図である。
【００４６】
図６（Ａ），（Ｂ）に示すように、概略筒形のコイル形状を作り出せる巻型３０に絶縁された矩形導体素線３１を必要回数巻き付けて図６（Ｃ）に示す筒形コイルを製作する。但しコイルのスロット間亘り部の導体素線長は固定子鉄心の外形側に行くに従って長さが増加するので、巻型はエンド部に傾斜部４０を付ける等で曲げ加工後の各導体素線長の調整が出来るように設計されている。
【００４７】
次に図６（Ｄ）に示すようにコイルエンド部の曲げ加工を行いスロットに挿入される直線部３２とスロット間亘り部３３を立体的に成形する。
【００４８】
次スロットに挿入される直線部３２のみを樹脂で固着し、あるいはスロット絶縁用絶縁物３４を貼り付けて単独のコイルとしている。
【００４９】
このようにコイル（イ），コイル（ロ）を成形した後、スロット１ｓに挿入する。
【００５０】
図７は、上記実施形態の回転電機を適用した車両駆動システムのブロック図を示す。この車両駆動システムは、駆動源として内燃機関７０３と、２つの回転電機７０４と回転電機７０５を有し、回転電機７０４は内燃機関７０３の駆動軸に設けられ、変速装置７０９を介して一方の車輪７１０を駆動する。一方、回転電機７０５は他方の車輪をデフ７１１を介して駆動する。なお、回転電機７０４は、コースト時や下り坂時には、車輪によって駆動される発電機として作用する。
【００５１】
２つの回転電機の回転と、エネルギー貯蔵システムとしてのバッテリ７０２との間のエネルギー変換は、半導体電力変換装置としてのインバータ７０６，７０７、および直流コンバータ７０８によって行われる。制御装置７０１は、バッテリ７０２の状態や他の車両状態情報に基づいて、インバータ７０６，７０７、及び直流コンバータ７０８を制御する。
【００５２】
なお、ここでは２つの回転電機を用いた例を示したが、これに限るものではなく、車両を駆動するために寄与する回転電機を用いたすべての車両に、本実施形態の回転電機を適用することが可能である。
【００５３】
図８は、上記実施形態の回転電機を適用した車両駆動システムの回路図を示す。本実施例は、半導体電力変換装置としてのＩＧＢＴ変換回路８００を用いた例である。ＩＧＢＴ変換回路８００は、スイッチング半導体８０１を有する。このＩＧＢＴ変換回路８００は、スイッチング半導体８０１のＯＮ／ＯＦＦが制御されることによって、バッテリ８０４と回転電機８０２の間の交流と直流を変換する機能を有する。なお、ここではスイッチング半導体８０１としてＩＧＢＴを用いたが、ＭＯＳＦＥＴなどの他のスイッチング半導体を用いても良いことは言うまでもない。
【００５４】
図９は、上記実施形態を適用する車両駆動モータ特有の問題点を示す。回転電機を自動車などの車両駆動源として適用した場合、より高速なスイッチングが要求される。図９（ａ）は、他のアプリケーションに用いた場合のＰＷＭ制御のインバータ出力端子電圧波形を示し、波高値は直流電圧に対応する値となる。一方で、車両駆動用に回転電機を適用した場合、図９（ｂ）に示すように、高速スイッチングによりサージ電圧が重畳され、波高値は直流電圧よりも大きくなる。
【００５５】
車両に適用された回転電機は、このように直流電圧よりも大きい波高値の電圧が印加される可能性があり、高い絶縁性能が要求される。絶縁性能を向上するためには、例えば巻線同士の沿面距離や空間距離の確保、または絶縁破壊の可能性が高い部位（例えば巻線のタイトな折り曲げ部）を減少させることが有効であるが、エンジンルームや変速機内部などの限られたスペースに設置せざるを得ない車両駆動用回転電機では、自ずとその限界がある。
【００５６】
大型発電機は、定置式回転電機であり、軸方向寸法制約が厳しくなく、使用電圧が高電圧でも絶縁厚みやコイル間の絶縁空隙を大きく取ることができた。これを、エンジンルームその他の寸法制約が大きい車両に適用することは難しい。これは、大型発電機にはない車両駆動用回転電機特有の課題であり、これを上記実施形態に記載の技術で解決するものである。
【００５７】
なお、上記実施形態は、ハイブリッド自動車や電気自動車で車両牽引力を制御するために使われる各種の電動発電機、回転電機に適用できる。一般産業用回転電機においても比較的極数が多くインバータで制御される同期電動機，誘導電動機，リラクタンス同期電動機，永久磁石電動機などにも適用できる。本実施形態を適用した例として、リラクタンス同期電動機を図１０（ａ）に示す。このように回転軸５によって支持されている回転子４は、磁気空隙１０１によって形成された磁路により、リラクタンストルクを発生するものである。また磁石式同期電動機を図１０（ｂ）に示す。回転子４には、磁石挿入孔１０２が形成され、そこに磁石が挿入される。図のような磁石挿入孔１０２の形状によって、方形の磁石の周方向両端に磁気空隙ができ、これによりコギングトルクやトルク脈動が低減される。さらに誘導電動機を図１０（ｃ）に示す。回転子４に形成された溝１０３に銅バーなどが挿入され、すべりトルクによって回転電機として機能するものである。
【００５８】
以上、様々な実施形態を説明したが、上記実施形態により、従来の矩形断面導体を用いたセグメントコイルやヘアピンコイルによる波巻き方式では１スロットに収納できる導体素線数は多くて４程度であり、所定のコイル巻き回数を確保する為にはスロット数の増加が必要であるが、本実施形態では１スロット当たりの巻き回数を増やす事が容易に出来て、スロット数とコイル数を少なくできる。これにより巻線内におけるコイル間接続点数を大幅に低減でき、接続作業時間の短縮と信頼性の向上が図れる。
【００５９】
また導体素線に矩形断面導体を適用することと従来２層巻きに比べてスロット内の層間絶縁が不要であり深さ方向絶縁層厚みが少なくなることでスロット内導体占積率の向上が図れると共に、扁平導体をスロット内で積層配置することで導体渦電流損を抑制できて巻線の損失低減ができる。
【００６０】
また、オープンスロット開口部に磁性体の楔を適用する事により空隙の磁束分布が滑らかとなり鉄損低減と電磁振動低減が出来る。さらにコイルエンド部剛性増強によりコイルの電磁振動による騒音を低減できる。
【００６１】
また、従来はコイルを固定子鉄心のスロットに装着した後から樹脂含浸処理を施しているのでスロット内部の導体素線間への樹脂の染み込みは不完全であったが、本実施形態ではスロット内部の導体素線間への樹脂含浸が期待でき、またスロット部コイル外形の樹脂成形化が可能になるのでコイル寸法精度の精度向上が図れ、固定子鉄心とコイル間の空隙を最小化できる。これらにより導体素線から固定子鉄心への熱伝達が改善されてコイルの冷却性能が向上する利点がある。
【図面の簡単な説明】
【００６２】
【図１Ａ】本発明の一実施形態をなす回転電機の主要部分の軸方向断面図を示す。
【図１Ｂ】図１Ａの回転電機を軸方向から見た場合の、固定子鉄心とコイルエンド部形状を示す。
【図２】図１のスロット部の断面図を示す。
【図３】図１の例のコイルエンド部の導体形状の説明図を示す。
【図４】図１の例の各コイル間の接続図を示す。
【図５】図１のコイル（イ）の形状を製作する製造工程を示す。
【図６】図１のコイル（ロ）の形状を製作する製造工程を示す。
【図７】上記実施形態の回転電機を適用した車両駆動システムのブロック図を示す。
【図８】上記実施形態の回転電機を適用した車両駆動システムの回路図を示す。
【図９】車両駆動モータ特有の問題点を示す。
【図１０】本発明の一実施形態をなす回転電機の例を示す。
【符号の説明】
【００６３】
１  固定子鉄心
１ｓ  スロット
１ｙ  ヨーク部側面
２  巻線
２ａ  コイル（イ）
２ｂ  コイル（ロ）
４  回転子
【図１Ａ】
2010136537.tif 000003
【図１Ｂ】
2010136537.tif 000004
【図２】
2010136537.tif 000005
【図３】
2010136537.tif 000006
【図４】
2010136537.tif 000007
【図５】
2010136537.tif 000008
【図６】
2010136537.tif 000009
【図７】
2010136537.tif 000010
【図８】
2010136537.tif 000011
【図９】
2010136537.tif 000012
【図１０】
2010136537.tif 000013